(57)【要約】【課題】ペアリングを容易に行うことができる照明器具を提供する。【解決手段】照明器具２０は、情報端末３０と第１の無線通信方式で通信する第１通信部２１と、端末器１０と第２の無線通信方式で通信する第２通信部２２と、を備え、第１通信部２１は、情報端末３０から照明器具２０を端末器１０のペアリング対象として指定するための信号を受信するように構成され、第２通信部２２は、照明器具２０のペアリング対象として指定された端末器１０から端末器１０とのペアリングを実行するための信号を受信したとき、端末器１０とのペアリングを実行するように構成されている。【選択図】図１
2019192552.tif 000002
【特許請求の範囲】
【請求項１】
照明器具であって、
情報端末と第１の無線通信方式で通信する第１通信部と、
端末器と第２の無線通信方式で通信する第２通信部と、を備え、
前記第１通信部は、前記情報端末から前記照明器具を前記端末器のペアリング対象として指定するための信号を受信するように構成され、
前記第２通信部は、前記照明器具のペアリング対象として指定された前記端末器から前記端末器とのペアリングを実行するための信号を受信したとき、前記端末器とのペアリングを実行するように構成されている、
照明器具。
【請求項２】
前記第１の無線通信方式は、赤外線を用いた通信方式である、
請求項１に記載の照明器具。
【請求項３】
前記第２通信部は、前記第１通信部が前記照明器具を前記端末器のペアリング対象として指定するための信号を受信したときに、所定期間内に前記端末器とのペアリングを実行するための信号を受信しないときには、前記端末器のペアリング対象としての指定を解除する、
請求項１または２に記載の照明器具。
【請求項４】
前記第２通信部は、前記第１通信部が前記照明器具を前記端末器のペアリング対象として指定するための信号を受信したときに、前記端末器とのペアリングを実行するための信号を受信する前に前記照明器具の電源がオフされるときには、前記端末器のペアリング対象としての指定を解除する、
請求項１〜３のいずれか１項に記載の照明器具。
【請求項５】
前記第２通信部は、前記第１通信部が前記照明器具を前記端末器のペアリング対象として指定するための信号を受信したときに、前記端末器とのペアリングを実行するための信号を受信する前に前記第１通信部が前記端末器のペアリング対象としての指定を解除するための信号を受信したときには、前記端末器のペアリング対象としての指定を解除する、
請求項１〜３のいずれか１項に記載の照明器具。
【請求項６】
前記第２通信部は、前記端末器から前記端末器とのペアリングを実行するための信号として、識別情報の要求を受信したとき、前記端末器に自己の識別情報を送信することで前記端末器とのペアリングを実行する、
請求項１〜５のいずれか１項に記載の照明器具。
【請求項７】
端末器であって、
情報端末と第１の無線通信方式で通信する第３通信部と、
前記情報端末および照明器具と第２の無線通信方式で通信する第４通信部と、を備え、
前記第３通信部は、前記情報端末から前記端末器を前記照明器具のペアリング対象として指定するための信号を受信するように構成され、
前記第４通信部は、前記第３通信部が前記情報端末から前記信号を受信した状態において、前記情報端末から前記照明器具とのペアリングを実行するための信号を受信したとき、前記照明器具とのペアリングを実行するように構成されている、
端末器。
【請求項８】
前記第１の無線通信方式は、赤外線を用いた通信方式である、
請求項７に記載の端末器。
【請求項９】
前記第４通信部は、
前記照明器具とのペアリングを実行するための信号を受信したとき、前記照明器具に対して識別情報の要求を送信し、
当該要求に応じて送信された識別情報を受信したとき、当該受信した識別情報を有する前記照明器具とペアリングを実行する、
請求項７または８に記載の端末器。
【請求項１０】
請求項１〜６のいずれか１項に記載の照明器具と、請求項７〜９のいずれか１項に記載の端末器とを備える、
照明システム。
【請求項１１】
端末器および照明器具と第１の無線通信方式で通信する第５通信部と、
前記端末器と第２の無線通信方式で通信する第６通信部と、を備え、
前記第５通信部は、前記端末器および前記照明器具に対して、ペアリング対象として指定するための信号をそれぞれ送信するように構成され、
前記第６通信部は、前記第５通信部がペアリング対象として指定するための信号を送信した前記端末器に対して、前記第５通信部がペアリング対象として指定するための信号を送信した前記照明器具とのペアリングを実行するための信号を送信するように構成されている、
情報端末。
【請求項１２】
前記第１の無線通信方式は、赤外線を用いた通信方式である、
請求項１１に記載の情報端末。
【請求項１３】
端末器を照明器具のペアリング対象として指定するための信号を第１の無線通信方式により送信するステップと、
前記照明器具を前記端末器のペアリング対象として指定するための信号を前記第１の無線通信方式により送信するステップと、
前記照明器具のペアリング対象として指定するための信号を受信した前記端末器に対して、前記端末器のペアリング対象として指定するための信号を受信した前記照明器具とのペアリングを実行するための信号を第２の無線通信方式により送信するステップとを含む、
照明器具のペアリング方法。
【請求項１４】
請求項１３に記載の照明器具のペアリング方法をコンピュータに実行させるためのプログラム。
【発明の詳細な説明】
【技術分野】
【０００１】
本発明は、照明器具、端末器、照明システム、情報端末、照明器具のペアリング方法およびプログラムに関する。
【背景技術】
【０００２】
従来、照明器具と、照明器具の明るさを検出する明るさセンサ（端末器）とを備える照明システムが開示されている（例えば特許文献１）。このような照明システムによれば、端末器が検出した明るさに応じて照明器具を自動で調光制御することができ、照明器具が設けられたフロア等を所望の明るさにすることができる。
【先行技術文献】
【特許文献】
【０００３】
【特許文献１】特開２０１６−１４９２１５号公報
【発明の概要】
【発明が解決しようとする課題】
【０００４】
照明システムの施工の簡素化、低コスト化等のために、端末器と照明器具との間の接続が有線接続から無線接続へとなってきている。このとき、端末器が所望の照明器具を無線で調光制御するために、端末器と当該所望の照明器具とのペアリングが必要になる。例えばフロアの規模によっては数１００台の照明器具と、端末器とをペアリングする必要がある場合があり、ペアリングの容易化が望まれる。
【０００５】
そこで、本発明は、ペアリングを容易に行うことができる照明器具等を提供することを目的とする。
【課題を解決するための手段】
【０００６】
本発明の一態様に係る照明器具は、照明器具であって、情報端末と第１の無線通信方式で通信する第１通信部と、端末器と第２の無線通信方式で通信する第２通信部と、を備え、前記第１通信部は、前記情報端末から前記照明器具を前記端末器のペアリング対象として指定するための信号を受信するように構成され、前記第２通信部は、前記照明器具のペアリング対象として指定された前記端末器から前記端末器とのペアリングを実行するための信号を受信したとき、前記端末器とのペアリングを実行するように構成されている。
【０００７】
本発明の一態様に係る端末器は、端末器であって、情報端末と第１の無線通信方式で通信する第３通信部と、前記情報端末および照明器具と第２の無線通信方式で通信する第４通信部と、を備え、前記第３通信部は、前記情報端末から前記端末器を前記照明器具のペアリング対象として指定するための信号を受信するように構成され、前記第４通信部は、前記第３通信部が前記情報端末から前記信号を受信した状態において、前記情報端末から前記照明器具とのペアリングを実行するための信号を受信したとき、前記照明器具とのペアリングを実行するように構成されている。
【０００８】
本発明の一態様に係る照明システムは、上記の照明器具と、上記の端末器とを備える。
【０００９】
本発明の一態様に係る情報端末は、端末器および照明器具と第１の無線通信方式で通信する第５通信部と、前記端末器と第２の無線通信方式で通信する第６通信部と、を備え、前記第５通信部は、前記端末器および前記照明器具に対して、ペアリング対象として指定するための信号をそれぞれ送信するように構成され、前記第６通信部は、前記第５通信部がペアリング対象として指定するための信号を送信した前記端末器に対して、前記第５通信部がペアリング対象として指定するための信号を送信した前記照明器具とのペアリングを実行するための信号を送信するように構成されている。
【００１０】
本発明の一態様に係る照明器具のペアリング方法は、端末器を照明器具のペアリング対象として指定するための信号を第１の無線通信方式により送信するステップと、前記照明器具を前記端末器のペアリング対象として指定するための信号を前記第１の無線通信方式により送信するステップと、前記照明器具のペアリング対象として指定するための信号を受信した前記端末器に対して、前記端末器のペアリング対象として指定するための信号を受信した前記照明器具とのペアリングを実行するための信号を第２の無線通信方式により送信するステップとを含む。
【００１１】
本発明の一態様に係るプログラムは、上記の照明器具のペアリング方法をコンピュータに実行させるためのプログラム。
【発明の効果】
【００１２】
本発明の一態様に係る端末器等によれば、ペアリングを容易に行うことができる。
【図面の簡単な説明】
【００１３】
【図１】図１は、実施の形態に係る照明器具、端末器および情報端末の一例を示す構成図である。
【図２】図２は、実施の形態における端末器と照明器具とのペアリングについての全体処理を示すシーケンス図である。
【図３】図３は、照明器具をペアリング対象として指定する際の作業を説明するための図である。
【発明を実施するための形態】
【００１４】
以下では、本発明の実施の形態について、図面を用いて詳細に説明する。なお、以下に説明する実施の形態は、いずれも本発明の好ましい一具体例を示すものである。従って、以下の実施の形態で示される数値、形状、構成要素、構成要素の配置及び接続形態、並びに、ステップ（工程）及びステップの順序等は、一例であり、本発明を限定する趣旨ではない。よって、以下の実施の形態における構成要素のうち、本発明の最上位概念を示す独立請求項に記載されていない構成要素については、任意の構成要素として説明される。
【００１５】
また、各図は、模式図であり、必ずしも厳密に図示されたものではない。また、各図において、同じ構成要素については同じ符号を付している。
【００１６】
（実施の形態）
以下、実施の形態について、図１から図３を用いて説明する。
【００１７】
［構成］
まず、端末器と照明器具とのペアリングの際に必要となる機器の構成について説明する。
【００１８】
図１は、実施の形態に係る照明器具２０、端末器１０および情報端末３０の一例を示す構成図である。図１には、端末器１０と照明器具２０とのペアリングの際に必要となる機器を示している。なお、端末器１０と照明器具２０とのペアリングとは、端末器１０と照明器具２０とが互いのアドレス情報（例えばＭＡＣ（Ｍｅｄｉａ  Ａｃｃｅｓｓ  Ｃｏｎｔｒｏｌ）アドレス）を交換することをいい、端末器１０と照明器具２０とのペアリングが完了することで、相互に通信が可能となる。
【００１９】
端末器１０は、例えば、フロアの天井等に設けられ、端末器１０の周囲の明るさを検出する明るさセンサである。端末器１０の検出結果は、例えば、照明器具２０の調光制御に用いられる。
【００２０】
端末器１０は、情報端末３０と第１の無線通信方式で通信する第３通信部１１と、情報端末３０および照明器具２０と第２の無線通信方式で通信する第４通信部１２と、を備える。第１の無線通信方式は、赤外線を用いた通信方式である。第２の無線通信方式は、例えば、９２０ＭＨｚ帯の特定小電力無線を用いた通信方式である。第４通信部１２が調光制御に関する制御信号を複数の照明器具２０に送信することで、照明器具２０の調光制御が行われる。特定小電力無線の通信可能な距離は、端末器１０の明るさを検出可能な距離をカバーしている。言い換えると、端末器１０が明るさを検出する照明器具２０は、当該通信可能な距離内に設置される。１つの端末器１０でフロアに設置される全ての照明器具２０の明るさを検出することは難しい場合があり、例えばフロアにおける所定の領域毎に端末器１０が設置される。
【００２１】
照明器具２０は、情報端末３０と第１の無線通信方式で通信する第１通信部２１と、端末器１０と第２の無線通信方式で通信する第２通信部２２と、を備える。照明器具２０は、例えば、フロアの天井等に複数設けられる。なお、以下では、複数の照明器具２０を複数の照明器具２０ａ〜２０ｎとも呼ぶ。照明器具２０は、光源を備え、光源の点灯状態が制御される。例えば、光源の点灯および消灯の切り替え、並びに、調光率（明るさ）の変更が行われる。当該光源は、ＬＥＤ光源、有機ＥＬまたは蛍光灯等であるが、特に限定されない。例えば、照明器具２０は、メインコントローラおよび壁スイッチ等と有線（例えば２線式有線）で接続されており、壁スイッチへの操作に基づく信号を取得するメインコントローラによって、当該２線式有線を介して点灯および消灯の切り替えが行われる。
【００２２】
端末器１０と照明器具２０とは、照明システム１を構成する。例えば、照明システム１において、端末器１０は、端末器１０とペアリングされた照明器具２０が設置された場所の周辺に設置され、照明器具２０に照射される床面等の照度を検出することで、照明器具２０の明るさを検出する。例えば、端末器１０によって検出された明るさが予め定められた設定値となるように、照明器具２０は調光制御される。具体的には、検出された明るさが予め定められた明るさの設定値よりも明るい場合には照明器具２０の調光率が下げられ、暗い場合には、照明器具２０の調光率が上げられる。予め定められた明るさの設定値は、例えば、端末器１０に記憶されており、端末器１０は、検出した明るさを端末器１０が記憶している予め定められた明るさの設定値に照合することで、照明器具２０の調光制御を行う。
【００２３】
情報端末３０は、例えば、スマートフォン又はタブレット等の携帯端末であり、端末器１０と通信する。例えば、ユーザは、情報端末３０が有する表示部（ディスプレイ等）に表示された表示内容を見ながら情報端末３０が有する操作部（例えばボタン、タッチパネル等）を操作することで、ペアリング作業を行う。
【００２４】
情報端末３０は、例えば、端末器１０と複数の照明器具２０ａ〜２０ｎのうちのユーザ所望の照明器具２０とのペアリングを行う際に用いられる。情報端末３０は、端末器１０および照明器具２０と第１の無線通信方式で通信する第５通信部３１と、端末器１０と第２の無線通信方式で通信する第６通信部３２と、を備える。なお、第６通信部３２は、照明器具２０と第２の無線通信方式で通信してもよい。ただし、情報端末３０としてスマートフォン又はタブレット等の携帯端末は、赤外線および特定小電力無線による通信機能を有していないことがある。この場合、情報端末３０と端末器１０とは、赤外線および特定小電力無線による通信機能を有している中継器等を介して無線通信が可能となる。つまり、第５通信部３１は、中継器を介して端末器１０および照明器具２０と第１の無線通信方式で通信し、第６通信部３２は、中継器を介して端末器１０と第２の無線通信方式で通信する。情報端末３０と中継器とは、例えば、ＢＬＥ（Ｂｌｕｅｔｏｏｔｈ（登録商標）  Ｌｏｗ  Ｅｎｅｒｇｙ）により通信可能に接続される。また、情報端末３０は、ＵＳＢ（Ｕｎｉｖｅｒｓａｌ  Ｓｅｒｉａｌ  Ｂｕｓ）コネクタを有し、情報端末３０と中継器とは、ＵＳＢコネクタを介して通信可能に接続されてもよい。したがって、第５通信部３１と第１通信部２１および第３通信部１１との通信のうち、第５通信部３１と中継器との通信にはＢＬＥまたはＵＳＢによる通信方式が用いられ、中継器と第１通信部２１および第３通信部１１との通信に赤外線通信が用いられる。また、第６通信部３２と第４通信部１２との通信のうち、第６通信部３２と中継器との通信にはＢＬＥまたはＵＳＢによる通信方式が用いられ、中継器と第４通信部１２との通信に特定小電力無線が用いられる。なお、情報端末３０が特定小電力無線による通信機能および赤外線による通信機能を有していてもよい。
【００２５】
端末器１０、照明器具２０および情報端末３０は、それぞれ、プロセッサ（マイクロプロセッサ）、メモリ、通信回路、ユーザインタフェース等を含む装置である。メモリは、ＲＯＭ、ＲＡＭ等であり、プロセッサにより実行される制御プログラムを記憶することができる。第３通信部１１および第４通信部１２は、端末器１０が有する通信回路等により実現され、端末器１０が有するプロセッサがメモリに格納された制御プログラムを実行することにより、信号（情報）の送受信を行う。第１通信部２１および第２通信部２２は、照明器具２０が有する通信回路等により実現され、照明器具２０が有するプロセッサが、メモリに格納された制御プログラムを実行することにより、信号（情報）の送受信を行う。第５通信部３１および第６通信部３２は、情報端末３０が有する通信回路等により実現され、情報端末３０が有するプロセッサがメモリに格納された制御プログラムを実行することにより、信号（情報）の送受信を行う。
【００２６】
また、端末器１０、複数の照明器具２０ａ〜２０ｎ、情報端末３０は、それぞれ自己のアドレス情報（ＭＡＣアドレス）を自身のメモリに記憶している。
【００２７】
［ペアリング処理］
次に、情報端末３０を用いたペアリング処理について図２を用いて説明する。
【００２８】
図２は、実施の形態における端末器１０と照明器具２０とのペアリングについての全体処理を示すシーケンス図である。なお、ユーザは、ペアリング作業を行う前に、端末器１０とペアリングさせたい照明器具２０を電源オン状態にしている。本発明では、ペアリングの際に照明器具２０が有する第１通信部２１および第２通信部２２が情報の送信を行う必要があり、第１通信部２１および第２通信部２２へ電力が供給される必要があるためである。ここでは、複数の照明器具２０ａ〜２０ｎが電源オン状態となっているとする。
【００２９】
まず、情報端末３０（第５通信部３１）は、端末器１０に対して、端末器１０を照明器具２０のペアリング対象として指定するための信号を、第１の無線通信方式により送信する（ステップＳ１１）。端末器１０を照明器具２０のペアリング対象として指定するための信号は、端末器１０を照明器具２０とペアリングするための設定モードに移行させる指示である。なお、以降も含めて、情報端末３０と端末器１０との間の第１の無線通信方式および第２の無線通信方式による通信には中継器を介した通信も含まれ、また、情報端末３０と照明器具２０との間の第１の無線通信方式による通信には中継器を介した通信も含まれる。上述したように、情報端末３０が端末器１０および照明器具２０と直接通信する機能を有していない場合には、情報端末３０は、中継器を介して端末器１０および照明器具２０と通信するためである。端末器１０側から見ると、第３通信部１１は、情報端末３０から端末器１０を照明器具２０のペアリング対象として指定するための信号を受信する。
【００３０】
情報端末３０は、例えば端末器１０のアドレス情報を認識しておらず、端末器１０を宛先とする信号の送信ができないため、設定モードに移行させる指示の送信は、例えば、指向性を有する赤外線を用いた通信方式である第１の無線通信方式により行われる。ユーザが、情報端末３０（および中継器）を、当該指示を送信したい（つまり、照明器具２０のペアリング対象としたい）端末器１０の例えば下（例えば赤外線通信が可能な範囲）に持っていくことで、情報端末３０が端末器１０のアドレス情報を認識していなくても、当該指示を端末器１０に向けて送信することができるためである。例えば、情報端末３０は、当該指示を端末器１０に向けて送信する際に、自己のアドレス情報も端末器１０に送信し、これに対して端末器１０から端末器１０のアドレス情報が返信されることで、互いのアドレス情報を交換できる。これにより、情報端末３０と端末器１０とは、次回以降は第１の無線通信方式（赤外線を用いた通信方式）を用いず第２の無線通信方式（例えば特定小電力無線を用いた通信方式）を用いた通信が可能となる。
【００３１】
例えば、当該指示には、端末器１０に通常動作をさせずに、ペアリング専用の動作をさせるコマンドが含まれる。また、端末器１０は複数の系統を有し、複数の照明器具２０ａ〜２０ｎを複数のグループに分けてグループ単位で同じ照明制御を行わせるために、当該指示には、複数の系統のうちのペアリングさせたい系統を選択するコマンドが含まれる。例えば、ここでは、Ａ系統が選択されているとする。つまり、端末器１０のＡ系統と照明器具２０とのペアリングが行われる。
【００３２】
端末器１０は、上記指示により設定モードに移行する。なお、端末器１０は、ＬＥＤランプ等を有していてもよく、当該ＬＥＤランプの点灯等により、現在設定モードであるか否かがわかるようにしてもよい。
【００３３】
次に、情報端末３０（第５通信部３１）は、照明器具２０に対して、照明器具２０を端末器１０のペアリング対象として指定するための信号を、第１の無線通信方式により送信する（ステップＳ１２）。照明器具２０側から見ると、第１通信部２１は、情報端末３０から照明器具２０を端末器１０のペアリング対象として指定するための信号を受信する。
【００３４】
情報端末３０は、照明器具２０のアドレス情報を認識しておらず、照明器具２０を宛先とする信号の送信ができないため、照明器具２０を端末器１０のペアリング対象として指定するための信号の送信は、例えば、指向性を有する赤外線を用いた通信方式である第１の無線通信方式により行われる。ここで、本発明において、照明器具２０をペアリング対象として指定する際に、ユーザが行う作業について図３を用いて説明する。
【００３５】
図３は、照明器具２０をペアリング対象として指定する際の作業を説明するための図である。
【００３６】
図３に示されるように、ユーザは、情報端末３０（および中継器）を、照明器具２０を端末器１０のペアリング対象として指定するための信号を送信したい（つまり、ペアリング対象としたい）照明器具２０ａの例えば下（例えば赤外線通信が可能な範囲）に持っていく。これにより、情報端末３０が照明器具２０ａのアドレス情報を認識していなくても、当該信号を照明器具２０ａに向けて送信することができる。
【００３７】
ユーザは、当該信号を送信したい照明器具２０の例えば下に移動するため、ユーザ自らフロアの天井等に設置された照明器具２０を目視で確認して、直感的に照明器具２０をペアリング対象として指定することができる。例えば、複数の照明器具２０ａ〜２０ｎは、設置されるフロアの規模によっては、数１００台となることがあるが、この中からペアリング対象として指定したい照明器具２０ａの例えば下に移動して、ペアリング対象として指定するという作業をするだけで、ペアリングを行うことができる。例えば、照明器具２０ｂもペアリング対象として指定したい場合には、図３において破線で示されるように、ユーザは、引き続き情報端末３０を照明器具２０ｂの例えば下へと持っていき、当該信号を照明器具２０ｂに向けて送信する。
【００３８】
このように、ユーザは、ペアリング対象として指定したい照明器具２０を目視で確認しながら、直感的に当該照明器具２０をペアリング対象として指定することができる。
【００３９】
例えば、照明器具２０を端末器１０のペアリング対象として指定するための信号には、ショートアドレスと、赤外線を用いてペアリング対象として指定されたことを示す赤外線指定情報とが含まれる。複数の照明器具２０を端末器１０のペアリング対象として指定する場合には、ショートアドレスは、他の照明器具２０に対して送信される当該信号に含まれるショートアドレスとは異なるアドレスになる。例えば、ショートアドレスはユーザが任意に決定したアドレスである。具体的には、照明器具２０ａ〜２０ｃをペアリング対象として指定する場合、照明器具２０ａにはショートアドレス１、照明器具２０ｂにはショートアドレス２、照明器具２０ｃにはショートアドレス３が含まれる上記信号が送信される。上記信号が送信された照明器具２０は、ショートアドレスと赤外線指定情報を自身が有するメモリに記憶することで、自身を端末器１０のペアリング対象として指定する。
【００４０】
次に、情報端末３０（第６通信部３２）は、第５通信部３１がペアリング対象として指定するための信号を送信した端末器１０に対して、第５通信部３１がペアリング対象として指定するための信号を送信した照明器具２０（ここでは照明器具２０ａおよび２０ｎ）とのペアリングを実行するための信号を送信する（ステップＳ１３）。端末器１０側から見ると、第４通信部１２は、第３通信部１１が情報端末３０から端末器１０を照明器具２０のペアリング対象として指定するための信号を受信した状態において、情報端末３０から照明器具２０（ここでは照明器具２０ａおよび２０ｎ）とのペアリングを実行するための信号を受信する。
【００４１】
例えば、照明器具２０とのペアリングを実行するための信号には、ステップＳ１２において照明器具２０を端末器１０のペアリング対象として指定した際の、ショートアドレスを記憶した照明器具２０からアドレス情報（ＭＡＣアドレス）を収集させるコマンドが含まれている。具体的には、当該信号には、照明器具２０ａおよび２０ｎに記憶されたショートアドレスが含まれる。
【００４２】
そして、端末器１０（第４通信部１２）は、ステップＳ１１において第３通信部１１が情報端末３０から端末器１０を照明器具２０のペアリング対象として指定するための信号を受信した状態において、情報端末３０から照明器具２０とのペアリングを実行するための信号を受信したとき、照明器具２０とのペアリングを実行する（ステップＳ１４）。具体的には、端末器１０（第４通信部１２）は、照明器具２０とのペアリングを実行するための信号を受信したとき、照明器具２０に対して識別情報（アドレス情報）の要求を送信することで、照明器具２０とのペアリングを実行する。より具体的には、端末器１０は、上記ショートアドレスを宛先として（つまり、照明器具２０ａおよび２０ｎに対して）、アドレス情報の要求を送信する。
【００４３】
照明器具２０（照明器具２０ａおよび２０ｎ）側から見ると、第２通信部２２は、照明器具２０のペアリング対象として指定された端末器１０から端末器１０とのペアリングを実行するための信号を受信したとき、端末器１０とのペアリングを実行する。具体的には、第２通信部２２は、端末器１０から端末器１０とのペアリングを実行するための信号として、アドレス情報の要求を受信したとき、端末器１０に自己のアドレス情報を送信することで端末器１０とのペアリングを実行する。例えば、照明器具２０は、自身のメモリに赤外線指定情報が記憶されているときのみ、アドレス情報の要求を受信したとき、端末器１０に自己のアドレス情報を送信することで端末器１０とのペアリングを実行する。言い換えると、照明器具２０は、自身のメモリに赤外線指定情報が記憶されていないときには、アドレス情報の要求を受信したとしても、端末器１０に自己のアドレス情報を送信しない。
【００４４】
端末器１０および照明器具２０での処理をまとめると、端末器１０は、赤外線でペアリング対象として指定された照明器具２０に対してアドレス情報の要求を送信する。端末器１０とのペアリングを実行するための信号を受信した当該照明器具２０は、当該要求に応じて自己のアドレス情報を端末器１０に送信する。端末器１０（第４通信部１２）は、上記要求に応じて送信されたアドレス情報を受信したとき、受信したアドレス情報を有する照明器具２０とペアリングを実行する。このようにして、照明器具２０と端末器１０とで互いの識別情報の交換をすることで、ペアリングを実行することができる。
【００４５】
ユーザは、情報端末３０を用いて第１の無線通信方式により、端末器１０を照明器具２０のペアリング対象として指定し、照明器具２０を端末器１０のペアリング対象として指定し、その後、情報端末３０を用いて第２の無線通信方式により、照明器具２０とのペアリングを実行するための信号を端末器１０へ送信するだけで、以降は、端末器１０と照明器具２０とが自動的にペアリングをする。これにより、ペアリングを容易に行うことができる。
【００４６】
なお、ステップＳ１２において照明器具２０がペアリング対象として指定された後に、当該照明器具２０と端末器１０とのペアリングを中止したい場合がある。
【００４７】
そこで、例えば、第２通信部２２は、第１通信部２１が照明器具２０を端末器１０のペアリング対象として指定するための信号を受信したときに、所定期間内に端末器１０とのペアリングを実行するための信号を受信しないときには端末器１０のペアリング対象としての指定を解除してもよい。所定期間は、特に限定されないが、例えば、照明器具２０が設置されるフロアの規模等に応じて適宜決定される。また、ペアリング対象としての指定を解除するとは、例えば、照明器具２０のメモリに記憶された赤外線指定情報およびショートアドレスを消去することである。これにより、所定期間、端末器１０から当該照明器具２０へ端末器１０とのペアリングを実行するための信号を送信させない（つまり、情報端末３０から端末器１０へ照明器具２０とのペアリングを実行するための信号を送信しない）だけで、簡単にペアリングを中止することができる。
【００４８】
また、例えば、第２通信部２２は、第１通信部２１が照明器具２０を端末器１０のペアリング対象として指定するための信号を受信したときに、端末器１０とのペアリングを実行するための信号を受信する前に照明器具２０の電源がオフされるときには、端末器１０のペアリング対象としての指定を解除してもよい。これにより、端末器１０から当該照明器具２０へ端末器１０とのペアリングを実行するための信号を送信させる前に（つまり、情報端末３０から端末器１０へ照明器具２０とのペアリングを実行するための信号を送信する前に）、当該照明器具２０の電源をオフするだけで、簡単にペアリングを中止することができる。
【００４９】
また、例えば、第２通信部２２は、第１通信部２１が照明器具２０を端末器１０のペアリング対象として指定するための信号を受信したときに、端末器１０とのペアリングを実行するための信号を受信する前に第１通信部２１が端末器１０のペアリング対象としての指定を解除するための信号を受信したときには、端末器１０のペアリング対象としての指定を解除してもよい。これにより、端末器１０から当該照明器具２０へ端末器１０とのペアリングを実行するための信号を送信させる前に（つまり、情報端末３０から端末器１０へ照明器具２０とのペアリングを実行するための信号を送信する前に）、ペアリング対象として指定した当該照明器具２０へ、情報端末３０を用いて当該指定を解除するための信号を送信することで、簡単にペアリングを中止することができる。
【００５０】
ステップＳ１２において照明器具２０がペアリング対象として指定されただけでは、端末器１０と照明器具２０とのペアリングは実行されず、端末器１０からペアリングを実行するための信号が照明器具２０に送信されることをトリガーとして端末器１０と照明器具２０とのペアリングが実行される。つまり、照明器具２０が赤外線を用いてペアリング対象として指定される処理の後、自動的にペアリングが実行される処理が行われないため、上述したように、ペアリングを中止することができる。
【００５１】
以上のステップＳ１１からステップＳ１４での処理により、端末器１０のＡ系統と所望の照明器具２０ａおよび２０ｎとのペアリングが完了する。なお、端末器１０の他の系統に対して他の照明器具２０をペアリングする場合は、他の系統についてステップＳ１１からステップＳ１４での処理を行う。これにより、端末器１０の系統ごとに照明器具２０とのペアリングを行うことができる。つまり、複数の照明器具２０ａ〜２０ｎをグループ分けすることができ、グループごとの制御が可能となる。そして、ペアリング作業の完了後に、ユーザは、端末器１０の設定モードを解除することで、端末器１０は、通常動作（つまり、検出した周囲の明るさに応じて、ペアリング対象の照明器具２０を調光制御する動作）を行う。
【００５２】
［効果等］
以上説明したように、本実施の形態に係る照明器具２０は、情報端末３０と第１の無線通信方式で通信する第１通信部２１と、端末器１０と第２の無線通信方式で通信する第２通信部２２と、を備える。第１通信部２１は、情報端末３０から照明器具２０を端末器１０のペアリング対象として指定するための信号を受信するように構成される。第２通信部２２は、照明器具２０のペアリング対象として指定された端末器１０から端末器１０とのペアリングを実行するための信号を受信したとき、端末器１０とのペアリングを実行するように構成されている。
【００５３】
これによれば、ユーザは、情報端末３０を用いて第１の無線通信方式により、照明器具２０を端末器１０のペアリング対象として指定するだけで、以降は、端末器１０とユーザに指定された照明器具２０とが自動的にペアリングをする。このように、本発明によれば、ペアリングを容易に行うことができる。
【００５４】
また、第１の無線通信方式は、赤外線を用いた通信方式であってもよい。
【００５５】
これによれば、赤外線は指向性を有するため、ユーザは、ペアリング対象として指定したい照明器具２０の例えば下（例えば赤外線通信が可能な範囲）に情報端末３０を持っていくことで、赤外線を用いて簡単に当該照明器具２０をペアリング対象として指定できる。
【００５６】
また、第２通信部２２は、第１通信部２１が照明器具２０を端末器１０のペアリング対象として指定するための信号を受信したときに、所定期間内に端末器１０とのペアリングを実行するための信号を受信しないときには端末器１０のペアリング対象としての指定を解除してもよい。
【００５７】
照明器具２０がペアリング対象として指定された後に、当該照明器具２０と端末器１０とのペアリングを中止したい場合がある。この場合、所定期間、端末器１０から当該照明器具２０へ端末器１０とのペアリングを実行するための信号を送信させないだけで、簡単にペアリングを中止することができる。
【００５８】
また、第２通信部２２は、第１通信部２１が照明器具２０を端末器１０のペアリング対象として指定するための信号を受信したときに、端末器１０とのペアリングを実行するための信号を受信する前に照明器具２０の電源がオフされるときには、端末器１０のペアリング対象としての指定を解除してもよい。
【００５９】
照明器具２０がペアリング対象として指定された後に、当該照明器具２０と端末器１０とのペアリングを中止したい場合がある。この場合、端末器１０から当該照明器具２０へ端末器１０とのペアリングを実行するための信号を送信させる前に、当該照明器具２０の電源をオフするだけで、簡単にペアリングを中止することができる。
【００６０】
また、第２通信部２２は、第１通信部２１が照明器具２０を端末器１０のペアリング対象として指定するための信号を受信したときに、端末器１０とのペアリングを実行するための信号を受信する前に第１通信部２１が端末器１０のペアリング対象としての指定を解除するための信号を受信したときには、端末器１０のペアリング対象としての指定を解除してもよい。
【００６１】
照明器具２０がペアリング対象として指定された後に、当該照明器具２０と端末器１０とのペアリングを中止したい場合がある。この場合、端末器１０から当該照明器具２０へ端末器１０とのペアリングを実行するための信号を送信させる前に、ペアリング対象として指定した当該照明器具２０へ、情報端末３０を用いて当該指定を解除するための信号を送信することで、簡単にペアリングを中止することができる。
【００６２】
また、第２通信部２２は、端末器１０から端末器１０とのペアリングを実行するための信号として、識別情報の要求を受信したとき、端末器１０に自己の識別情報を送信することで端末器１０とのペアリングを実行してもよい。
【００６３】
これによれば、照明器具２０の自己の識別情報を端末器１０に送信し、照明器具２０と端末器１０とで互いの識別情報の交換をすることで、ペアリングを実行することができる。
【００６４】
また、本実施の形態に係る端末器１０は、情報端末３０と第１の無線通信方式で通信する第３通信部１１と、情報端末３０および照明器具２０と第２の無線通信方式で通信する第４通信部１２と、を備える。第３通信部１１は、情報端末３０から端末器１０を照明器具２０のペアリング対象として指定するための信号を受信するように構成される。第４通信部１２は、第３通信部１１が情報端末３０から前記信号を受信した状態において、情報端末３０から照明器具２０とのペアリングを実行するための信号を受信したとき、照明器具２０とのペアリングを実行するように構成されている。
【００６５】
これによれば、ユーザは、情報端末３０を用いて第１の無線通信方式により、端末器１０を照明器具２０のペアリング対象として指定し、その後、情報端末３０を用いて第２の無線通信方式により、照明器具２０とのペアリングを実行するための信号を端末器１０へ送信するだけで、以降は、端末器１０と照明器具２０とが自動的にペアリングをする。このように、本発明によれば、ペアリングを容易に行うことができる。
【００６６】
また、第１の無線通信方式は、赤外線を用いた通信方式であってもよい。
【００６７】
これによれば、赤外線は指向性を有するため、ユーザは、ペアリング対象として指定したい端末器１０の例えば下（例えば赤外線通信が可能な範囲）に情報端末３０を持っていくことで、赤外線を用いて簡単に当該端末器１０をペアリング対象として指定できる。
【００６８】
また、第４通信部１２は、照明器具２０とのペアリングを実行するための信号を受信したとき、照明器具２０に対して識別情報の要求を送信し、当該要求に応じて送信された識別情報を受信したとき、受信した識別情報を有する照明器具２０とペアリングを実行してもよい。
【００６９】
これによれば、端末器１０は、照明器具２０とのペアリングを実行するための信号を情報端末３０から受信するだけで、以降は、照明器具２０は端末器１０からの要求に応じて自己の識別情報を端末器１０に送信し、照明器具２０と端末器１０とで互いの識別情報の交換が行われ、ペアリングを自動的に実行することができる。
【００７０】
また、本実施の形態に係る照明システム１は、照明器具２０と、端末器１０とを備える。
【００７１】
これによれば、ペアリングを容易に行うことができる照明システムを提供できる。
【００７２】
また、本実施の形態に係る情報端末３０は、端末器１０および照明器具２０と第１の無線通信方式で通信する第５通信部３１と、端末器１０と第２の無線通信方式で通信する第６通信部３２と、を備える。第５通信部３１は、端末器１０および照明器具２０に対して、ペアリング対象として指定するための信号をそれぞれ送信するように構成される。第６通信部３２は、第５通信部３１がペアリング対象として指定するための信号を送信した端末器１０に対して、第５通信部３１がペアリング対象として指定するための信号を送信した照明器具２０とのペアリングを実行するための信号を送信するように構成されている。
【００７３】
これによれば、ユーザは、情報端末３０を用いて第１の無線通信方式により、端末器１０を照明器具２０のペアリング対象として指定し、照明器具２０を端末器１０のペアリング対象として指定し、その後、情報端末３０を用いて第２の無線通信方式により、照明器具２０とのペアリングを実行するための信号を端末器１０へ送信するだけで、以降は、端末器１０と照明器具２０とが自動的にペアリングをする。このように、本発明によれば、ペアリングを容易に行うことができる。
【００７４】
また、第１の無線通信方式は、赤外線を用いた通信方式であってもよい。
【００７５】
これによれば、赤外線は指向性を有するため、ユーザは、ペアリング対象として指定したい端末器１０および照明器具２０の例えば下（例えば赤外線通信が可能な範囲）に情報端末３０を持っていくことで、赤外線を用いて簡単に当該端末器１０および当該照明器具２０をペアリング対象として指定できる。
【００７６】
（その他の実施の形態）
以上、実施の形態に係る照明器具２０、端末器１０、情報端末３０および照明システム１について説明したが、本発明は、上記実施の形態に限定されるものではない。
【００７７】
例えば、上記実施の形態では、第１の無線通信方式は、赤外線を用いた通信方式であったが、例えば、指向性を有する無線を用いた通信方式であれば、赤外線を用いた通信方式でなくてもよい。
【００７８】
また、例えば、上記実施の形態では、第２通信部２２は、端末器１０から端末器１０とのペアリングを実行するための信号として、識別情報の要求を受信したとき、端末器１０に自己の識別情報を送信することで端末器１０とのペアリングを実行したが、このような処理が行われなくてもよい。
【００７９】
また、例えば、上記実施の形態では、第４通信部１２は、照明器具２０とのペアリングを実行するための信号を受信したとき、照明器具２０に対して識別情報の要求を送信し、当該要求に応じて送信された識別情報を受信したとき、受信した識別情報を有する照明器具２０とペアリングを実行したが、このような処理が行われなくてもよい。
【００８０】
また、例えば、上記実施の形態では、アドレス情報（識別情報）はＭＡＣアドレスであったが、論理アドレス等であってもよい。例えば、照明システムにおいて用いられる信号の伝送方式によっては、論理アドレスが用いられることがあるためである。
【００８１】
また、本発明は、情報端末３０として実現できるだけでなく、情報端末３０を構成する各構成要素が行うステップ（処理）を含む照明器具のペアリング方法として実現できる。
【００８２】
具体的には、図２に示されるように、照明器具のペアリング方法は、端末器１０を照明器具２０のペアリング対象として指定するための信号を第１の無線通信方式により送信するステップ（ステップＳ１１）と、照明器具２０を端末器１０のペアリング対象として指定するための信号を第１の無線通信方式により送信するステップ（ステップＳ１２）と、照明器具２０のペアリング対象として指定するための信号を受信した端末器１０に対して、端末器１０のペアリング対象として指定するための信号を受信した照明器具２０とのペアリングを実行するための信号を第２の無線通信方式により送信するステップ（ステップＳ１３）とを含む。
【００８３】
また、本発明は、端末器１０、照明器具２０および照明システム１として実現できるだけでなく、端末器１０、照明器具２０および照明システム１を構成する各構成要素が行うステップ（処理）を含む方法として実現できる。
【００８４】
例えば、それらのステップは、コンピュータ（コンピュータシステム）によって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【００８５】
例えば、本発明が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【００８６】
また、上記実施の形態の端末器１０、照明器具２０、照明システム１および情報端末３０に含まれる各構成要素は、専用または汎用の回路として実現されてもよい。
【００８７】
また、上記実施の形態の端末器１０、照明器具２０、照明システム１および情報端末３０に含まれる各構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。
【００８８】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【００８９】
さらに、半導体技術の進歩または派生する別技術によりＬＳＩに置き換わる集積回路化の技術が登場すれば、当然、その技術を用いて、端末器１０、照明器具２０、照明システム１および情報端末３０に含まれる各構成要素の集積回路化が行われてもよい。
【００９０】
その他、実施の形態に対して当業者が思いつく各種変形を施して得られる形態や、本発明の趣旨を逸脱しない範囲で各実施の形態における構成要素および機能を任意に組み合わせることで実現される形態も本発明に含まれる。
【符号の説明】
【００９１】
１  照明システム
１０  端末器
１１  第３通信部
１２  第４通信部
２０、２０ａ〜２０ｎ  照明器具
２１  第１通信部
２２  第２通信部
３０  情報端末
３１  第５通信部
３２  第６通信部
【図１】
2019192552.tif 000003
【図２】
2019192552.tif 000004
【図３】
2019192552.tif 000005